(57)【特許請求の範囲】
【請求項１】
放電灯を点灯させる放電灯装置であって、
正極と負極の間に直列に接続された抵抗値がほぼ等しい２個の抵抗の相互の接続点が接地されることにより、出力電圧の略１／２の電圧が接地電位に接地された直流電源と、
前記直流電源の正極と負極との間に直列に接続された第１のスイッチング素子及び第２のスイッチング素子と、
前記第１のスイッチング素子及び前記第２のスイッチング素子を交互にオン・オフさせる制御部と、
前記第１のスイッチング素子及び前記第２のスイッチング素子の接続点と前記放電灯の一方のランプ端子との間に接続されたインダクタと、
前記放電灯の一方のランプ端子と該放電灯の他方のランプ端子との間に接続された第１のコンデンサと、
前記放電灯の他方のランプ端子と前記直流電源の負極との間に接続された第２のコンデンサと、
を備えることを特徴とする放電灯装置。
【請求項２】
放電灯を点灯させる放電灯装置であって、
正極と負極の間に直列に接続された抵抗値がほぼ等しい２個の抵抗の相互の接続点が接地されることにより、出力電圧の略１／２の電圧が接地電位に接地された直流電源と、
前記直流電源の正極と負極との間に直列に接続された第１のスイッチング素子及び第２のスイッチング素子と、
前記第１のスイッチング素子及び前記第２のスイッチング素子を交互にオン・オフさせる制御部と、
前記第１のスイッチング素子及び前記第２のスイッチング素子の接続点と前記放電灯の一方のランプ端子との間に接続されたインダクタと、
前記放電灯の一方のランプ端子と該放電灯の他方のランプ端子との間に接続された第１のコンデンサと、
前記放電灯の他方のランプ端子と前記直流電源の正極との間に接続された第２のコンデンサと、
を備えることを特徴とする放電灯装置。
【請求項３】
放電灯を点灯させる放電灯装置であって、
正極と負極の間に直列に接続された抵抗値がほぼ等しい２個の抵抗の相互の接続点が接地されることにより、出力電圧の略１／２の電圧が接地電位に接地された直流電源と、
前記直流電源の正極と負極との間に直列に接続された第１のスイッチング素子及び第２のスイッチング素子と、
前記第１のスイッチング素子及び前記第２のスイッチング素子を交互にオン・オフさせる制御部と、
前記第１のスイッチング素子及び前記第２のスイッチング素子の接続点と前記放電灯の一方のランプ端子との間に接続されたインダクタと、
前記放電灯の一方のランプ端子と該放電灯の他方のランプ端子との間に接続された第１のコンデンサと、
前記放電灯の他方のランプ端子と前記直流電源の負極との間に接続された第２のコンデンサと、
前記放電灯の他方のランプ端子と前記直流電源の正極との間に接続された第３のコンデンサと、
を備えることを特徴とする放電灯装置。
【請求項４】
前記第１のスイッチング素子及び前記第２のスイッチング素子の接続点と前記インダクタとの間に接続された直流成分遮断用コンデンサを備えることを特徴とする請求項１乃至３のいずれか１項に記載の放電灯装置。
【請求項５】
前記インダクタと前記放電灯の一方のランプ端子との間に接続された直流成分遮断用コンデンサを備えることを特徴とする請求項１乃至３のいずれか１項に記載の放電灯装置。
【請求項６】
正極と負極の間に直列に接続された抵抗値がほぼ等しい２個の抵抗の相互の接続点が接地されることにより出力電圧の略１／２の電圧が接地電位に接地された直流電源に接続され、放電灯を点灯させる放電灯用点灯回路であって、
前記直流電源の正極と負極との間に直列に接続される第１のスイッチング素子及び第２のスイッチング素子と、
前記第１のスイッチング素子及び前記第２のスイッチング素子を交互にオン・オフさせる制御部と、
前記第１のスイッチング素子及び前記第２のスイッチング素子の接続点と前記放電灯の一方のランプ端子との間に接続されたインダクタと、
前記放電灯の一方のランプ端子と該放電灯の他方のランプ端子との間に接続された第１のコンデンサと、
前記放電灯の他方のランプ端子と前記直流電源の負極との間に接続される第２のコンデンサと、
を備えることを特徴とする放電灯用点灯回路。
【請求項７】
正極と負極の間に直列に接続された抵抗値がほぼ等しい２個の抵抗の相互の接続点が接地されることにより出力電圧の略１／２の電圧が接地電位に接地された直流電源に接続され、放電灯を点灯させる放電灯用点灯回路であって、
前記直流電源の正極と負極との間に直列に接続される第１のスイッチング素子及び第２のスイッチング素子と、
前記第１のスイッチング素子及び前記第２のスイッチング素子を交互にオン・オフさせる制御部と、
前記第１のスイッチング素子及び前記第２のスイッチング素子の接続点と前記放電灯の一方のランプ端子との間に接続されたインダクタと、
前記放電灯の一方のランプ端子と該放電灯の他方のランプ端子との間に接続された第１のコンデンサと、
前記放電灯の他方のランプ端子と前記直流電源の正極との間に接続される第２のコンデンサと、
を備えることを特徴とする放電灯用点灯回路。
【請求項８】
正極と負極の間に直列に接続された抵抗値がほぼ等しい２個の抵抗の相互の接続点が接地されることにより出力電圧の略１／２の電圧が接地電位に接地された直流電源に接続され、放電灯を点灯させる放電灯用点灯回路であって、
前記直流電源の正極と負極との間に直列に接続される第１のスイッチング素子及び第２のスイッチング素子と、
前記第１のスイッチング素子及び前記第２のスイッチング素子を交互にオン・オフさせる制御部と、
前記第１のスイッチング素子及び前記第２のスイッチング素子の接続点と前記放電灯の一方のランプ端子との間に接続されたインダクタと、
前記放電灯の一方のランプ端子と該放電灯の他方のランプ端子との間に接続された第１のコンデンサと、
前記放電灯の他方のランプ端子と前記直流電源の負極との間に接続される第２のコンデンサと、
前記放電灯の他方のランプ端子と前記直流電源の正極との間に接続される第３のコンデンサと、
を備えることを特徴とする放電灯用点灯回路。
【請求項９】
前記第１のスイッチング素子及び前記第２のスイッチング素子の接続点と前記インダクタとの間に接続された直流成分遮断用コンデンサを備えることを特徴とする請求項６乃至８のいずれか１項に記載の放電灯用点灯回路。
【請求項１０】
前記インダクタと前記放電灯の一方のランプ端子との間に接続された直流成分遮断用コンデンサを備えることを特徴とする請求項６乃至８のいずれか１項に記載の放電灯用点灯回路。
【発明の詳細な説明】
【技術分野】
【０００１】
本発明は、放電灯装置及び放電灯用点灯回路に関する。
【背景技術】
【０００２】
直流電源と放電灯用点灯回路とを備える放電灯装置が特許文献１に示されている。
【０００３】
図６は、特許文献１に示された放電灯装置の要部を示す図である。
この放電灯装置は、電源部１０と、放電灯用点灯回路２０とを備える。
電源部１０は、直流電源１１を備えている。
【０００４】
放電灯用点灯回路２０は、２つのスイッチング素子２１、２２を備えている。
スイッチング素子２１，２２は、直流電源１１の正極及び負極の間に直列に接続されている。スイッチング素子２１とスイッチング素子２２の接続点には、電流制限用インダクタ２３の一端が接続されている。インダクタ２３の他端が放電灯ＬＴの一方のランプ端子Ｔ１に接続されている。放電灯ＬＴの他方のランプ端子Ｔ２は、直流電源１１の負極に接続されている。放電灯ＬＴのランプ端子Ｔ１とランプ端子Ｔ２との間には、共振用コンデンサ２５が接続されている。スイッチング素子２１，２２には、図示しない制御部から制御信号が与えられ、交互にオン、オフする。
【先行技術文献】
【特許文献】
【０００５】
【特許文献１】特開２０１０−３６３０号公報
【発明の概要】
【発明が解決しようとする課題】
【０００６】
図６の放電灯装置では、通常、直流電源１１の正極又は負極が接地極として用いられる。
図７は、放電灯装置の課題を説明するための説明図である。
例えば、直流電源１１の正極を接地極とし、直流電源１１の出力電圧を４００［Ｖ］、放電灯ＬＴの電圧振幅を３６０［Ｖ］として、配線の電圧降下を無視すると、接地極から見た放電灯ＬＴのランプ端子Ｔ１の電位が、図７のように、−２２０〜−５８０［Ｖ］で振動する。則ち、接地極とランプ端子Ｔ１との間の電位差の最大値が、直流電源１１の出力電圧に対して高くなる。
【０００７】
そのため、電源部１０や放電灯用点灯回路２０における絶縁性能を高めておく必要があった。また、安全性を確保するために、漏洩電流を抑制する機能も必要以上に高めておく必要があった。
【０００８】
本発明は、以上のような現状を鑑みてなされた発明であり、接地電位とランプ端子Ｔ１の電位差が高くならない、放電灯装置を実現することを目的する。
【課題を解決するための手段】
【０００９】
上記目的を達成するために、本発明の第１の観点に係る放電灯装置は、
放電灯を点灯させる放電灯装置であって、
正極と負極の間に直列に接続された抵抗値がほぼ等しい２個の抵抗の相互の接続点が接地されることにより、出力電圧の略１／２の電圧が接地電位に接地された直流電源と、
前記直流電源の正極と負極との間に直列に接続された第１のスイッチング素子及び第２のスイッチング素子と、
前記第１のスイッチング素子及び前記第２のスイッチング素子を交互にオン・オフさせる制御部と、
前記第１のスイッチング素子及び前記第２のスイッチング素子の接続点と前記放電灯の一方のランプ端子との間に接続されたインダクタと、
前記放電灯の一方のランプ端子と該放電灯の他方のランプ端子との間に接続された第１のコンデンサと、
前記放電灯の他方のランプ端子と前記直流電源の負極との間に接続された第２のコンデンサと、
を備えることを特徴とする。
【００１０】
上記目的を達成するために、本発明の第２の観点に係る放電灯装置は、
放電灯を点灯させる放電灯装置であって、
正極と負極の間に直列に接続された抵抗値がほぼ等しい２個の抵抗の相互の接続点が接地されることにより、出力電圧の略１／２の電圧が接地電位に接地された直流電源と、
前記直流電源の正極と負極との間に直列に接続された第１のスイッチング素子及び第２のスイッチング素子と、
前記第１のスイッチング素子及び前記第２のスイッチング素子を交互にオン・オフさせる制御部と、
前記第１のスイッチング素子及び前記第２のスイッチング素子の接続点と前記放電灯の一方のランプ端子との間に接続されたインダクタと、
前記放電灯の一方のランプ端子と該放電灯の他方のランプ端子との間に接続された第１のコンデンサと、
前記放電灯の他方のランプ端子と前記直流電源の正極との間に接続された第２のコンデンサと、
を備えることを特徴とする。
【００１１】
上記目的を達成するために、本発明の第３の観点に係る放電灯装置は、
放電灯を点灯させる放電灯装置であって、
正極と負極の間に直列に接続された抵抗値がほぼ等しい２個の抵抗の相互の接続点が接地されることにより、出力電圧の略１／２の電圧が接地電位に接地された直流電源と、
前記直流電源の正極と負極との間に直列に接続された第１のスイッチング素子及び第２のスイッチング素子と、
前記第１のスイッチング素子及び前記第２のスイッチング素子を交互にオン・オフさせる制御部と、
前記第１のスイッチング素子及び前記第２のスイッチング素子の接続点と前記放電灯の一方のランプ端子との間に接続されたインダクタと、
前記放電灯の一方のランプ端子と該放電灯の他方のランプ端子との間に接続された第１のコンデンサと、
前記放電灯の他方のランプ端子と前記直流電源の負極との間に接続された第２のコンデンサと、
前記放電灯の他方のランプ端子と前記直流電源の正極との間に接続された第３のコンデンサと、
を備えることを特徴とする。
【００１２】
上記目的を達成するために、本発明の第４の観点に係る放電灯用点灯回路は、
正極と負極の間に直列に接続された抵抗値がほぼ等しい２個の抵抗の相互の接続点が接地されることにより出力電圧の略１／２の電圧が接地電位に接地された直流電源に接続され、放電灯を点灯させる放電灯用点灯回路であって、
前記直流電源の正極と負極との間に直列に接続される第１のスイッチング素子及び第２のスイッチング素子と、
前記第１のスイッチング素子及び前記第２のスイッチング素子を交互にオン・オフさせる制御部と、
前記第１のスイッチング素子及び前記第２のスイッチング素子の接続点と前記放電灯の一方のランプ端子との間に接続されたインダクタと、
前記放電灯の一方のランプ端子と該放電灯の他方のランプ端子との間に接続された第１のコンデンサと、
前記放電灯の他方のランプ端子と前記直流電源の負極との間に接続される第２のコンデンサと、
を備えることを特徴とする。
【００１３】
上記目的を達成するために、本発明の第５の観点に係る放電灯用点灯回路は、
正極と負極の間に直列に接続された抵抗値がほぼ等しい２個の抵抗の相互の接続点が接地されることにより出力電圧の略１／２の電圧が接地電位に接地された直流電源に接続され、放電灯を点灯させる放電灯用点灯回路であって、
前記直流電源の正極と負極との間に直列に接続される第１のスイッチング素子及び第２のスイッチング素子と、
前記第１のスイッチング素子及び前記第２のスイッチング素子を交互にオン・オフさせる制御部と、
前記第１のスイッチング素子及び前記第２のスイッチング素子の接続点と前記放電灯の一方のランプ端子との間に接続されたインダクタと、
前記放電灯の一方のランプ端子と該放電灯の他方のランプ端子との間に接続された第１のコンデンサと、
前記放電灯の他方のランプ端子と前記直流電源の正極との間に接続される第２のコンデンサと、
を備えることを特徴とする。
【００１４】
上記目的を達成するために、本発明の第６の観点に係る放電灯用点灯回路は、
正極と負極の間に直列に接続された抵抗値がほぼ等しい２個の抵抗の相互の接続点が接地されることにより出力電圧の略１／２の電圧が接地電位に接地された直流電源に接続され、放電灯を点灯させる放電灯用点灯回路であって、
前記直流電源の正極と負極との間に直列に接続される第１のスイッチング素子及び第２のスイッチング素子と、
前記第１のスイッチング素子及び前記第２のスイッチング素子を交互にオン・オフさせる制御部と、
前記第１のスイッチング素子及び前記第２のスイッチング素子の接続点と前記放電灯の一方のランプ端子との間に接続されたインダクタと、
前記放電灯の一方のランプ端子と該放電灯の他方のランプ端子との間に接続された第１のコンデンサと、
前記放電灯の他方のランプ端子と前記直流電源の負極との間に接続される第２のコンデンサと、
前記放電灯の他方のランプ端子と前記直流電源の正極との間に接続される第３のコンデンサと、
を備えることを特徴とする。
【発明の効果】
【００１５】
本発明によれば、接地電位とランプ端子の電位差が高くならない、放電灯装置を実現することができる。
【図面の簡単な説明】
【００１６】
【図１】本発明の第１の実施形態に係る放電装置を示す構成図である。
【図２】本実施形態の効果を説明するための説明図である。
【図３】本発明の第２の実施形態に係る放電灯装置を示す構成図である。
【図４】本発明の第３の実施形態に係る放電灯装置を示す構成図である。
【図５】本発明の第４の実施形態に係る放電灯装置を示す構成図である。
【図６】特許文献１に示された放電灯装置の要部を示す図である。
【図７】放電灯装置の課題を説明するための説明図である。
【発明を実施するための形態】
【００１７】
以下、図面に基づき、本発明の実施の形態について詳細に説明する。
［第１の実施形態］
本発明の第１の実施形態に係る放電装置を示す構成図である。
【００１８】
この放電装置は、放電灯ＬＴを点灯させる装置であり、電源部３０と、放電灯用点灯回路４０とを備えている。
電源部３０は、直流電源３１と抵抗３２と抵抗３３とを備えている。
抵抗３２及び抵抗３３は、直流電源３１の正極と負極の間に直列に接続されている。抵抗３２と抵抗３３の接続点がグランドＧに接続されている。抵抗３２の抵抗値と抵抗３３の抵抗値とはほぼ等しく設定されている。これにより、直流電源３１の出力する電圧Ｅ０の略１／２の電圧に相当する電位が接地電位となっている。
【００１９】
放電灯用点灯回路４０には、フューズ４１と、直流電源３１の出力する電圧を平滑化するコンデンサ４２と、２個のスイッチング素子４３、４４と、制御部４５と、電流制限用のインダクタ４６と、共振用のコンデンサ４７と、直流成分除去用のコンデンサ４８とを備えている。コンデンサ４８は、高周波のインピーダンスが十分に低くなるように、十分に高い静電容量を持つことが望ましい。
【００２０】
コンデンサ４２の一方の電極は、フューズ４１を介して直流電源３１の正極に接続され、コンデンサ４２の他方の電極は、直流電源３１の負極に接続されている。
【００２１】
スイッチング素子４３及びスイッチング素子４４は、フューズ４１を介して直流電源３１の正極と直流電源３１の負極との間に直列に接続されている。制御部４５は、フューズ４１を介して直流電源３１の正極に接続され、スイッチング素子４３，４４を交互にオン・オフする。但し、制御部４５は、スイッチング素子４３，４４が同時にオンする期間がないように、スイッチング素子４３，４４のスイッチングを制御する。
【００２２】
スイッチング素子４３及びスイッチング素子４４の接続点に、インダクタ４６の一端が接続され、インダクタ４６の他端が放電灯ＬＴの一方のランプ端子Ｔ１に接続されている。
【００２３】
放電灯ＬＴの他方のランプ端子Ｔ２と直流電源３１の負極との間に、コンデンサ４８が接続されている。又、放電灯ＬＴのランプ端子Ｔ１とランプ端子Ｔ２との間に、コンデンサ４７が接続されている。
【００２４】
この放電灯装置では、制御部４５がスイッチング素子４３及びスイッチング素子４４に制御信号を与えて、スイッチング素子４３，４４を交互にオン・オフさせることにより、直流電源３１の出力する直流電圧が高周波の信号に変換される。この高周波の信号がインダクタ４６の一端に入力される。インダクタ４６、コンデンサ４７及びコンデンサ４８は、高周波の信号に対して共振回路として機能する。放電灯ＬＴは、コンデンサ４７より電流が供給されると、放電し点灯する。ここで、インダクタ４６は、放電灯ＬＴに流れる電流を制限する。又、コンデンサ４８は、直流電流を遮断するように機能する。
【００２５】
図２は、本実施形態の効果を説明するための説明図である。
コンデンサ４８の静電容量が十分大きければ、コンデンサ４８充電電圧のリップルもほとんどなく、放電灯ＬＴが点灯している期間に、コンデンサ４８は、直流電源３１の出力する電圧Ｅ０のほぼ１／２の１／２Ｅ０に充電される。
例えば、直流電源３１の出力電圧を４００［Ｖ］、放電灯ＬＴの電圧振幅を３６０［Ｖ］とすると、接地電位から見たランプ端子Ｔ２の電位は、ほぼ０［Ｖ］となり、接地電位から見たランプ端子Ｔ１の電位は、図２のように、±１８０［Ｖ］で振動する。
【００２６】
ここで、図６の放電灯装置と本実施形態の放電灯装置とを図２及び図７を用いて比較する。図６の直流電源１１と本実施形態の直流電源３１とが同じ４００［Ｖ］を出力し、放電灯ＬＴの電圧振幅が３６０［Ｖ］である場合、接地電位から見たランプ端子Ｔ１の電圧の最大値が、図７のように、図６の放電灯装置では絶対値で５８０［Ｖ］になるのに対し、本実施形態の放電灯装置では、接地電位から見たランプ端子Ｔ１の電圧の最大値が、図２のように１８０［Ｖ］と低くなる。
【００２７】
よって、本実施形態の放電灯装置は、電源部３０や放電灯用点灯回路４０における絶縁性能を必要以上に高く設定しなくてもよい。また、安全性を確保するために、漏洩電流を抑制する機能も必要以上に高くしなくてもよい。
【００２８】
［第２の実施形態］
図３は、本発明の第２の実施形態に係る放電灯装置を示す構成図である。
この放電装置は、放電灯ＬＴを点灯させる装置であり、電源部３０と、放電灯用点灯回路５０とを備えている。
【００２９】
電源部３０は、第１の実施形態の電源部３０と同様のものであり、直流電源３１と抵抗３２と抵抗３３とを備え、これらが第１の実施形態と同様に接続されている。直流電源３１の出力する電圧Ｅ０の略１／２の電圧に相当する電位が接地電位となっている。
【００３０】
放電灯用点灯回路５０には、フューズ５１と、直流電源３１の出力する電圧を平滑化するコンデンサ５２と、２個のスイッチング素子５３、５４と、制御部５５と、電流制限用のインダクタ５６と、共振用のコンデンサ５７と、直流成分除去用のコンデンサ５８とを備えている。コンデンサ５８は、高周波のインピーダンスが十分に低くなるように、十分に高い静電容量を持つことが望ましい。
【００３１】
コンデンサ５２の一方の電極は、フューズ５１を介して直流電源３１の正極に接続され、コンデンサ５２の他方の電極は、直流電源３１の負極に接続されている。
【００３２】
スイッチング素子５３及びスイッチング素子５４は、フューズ５１を介して直流電源３１の正極と直流電源３１の負極との間に直列に接続されている。制御部５５は、フューズ５１を介して直流電源３１の正極に接続され、スイッチング素子５３，５４を交互にオン・オフする。但し、制御部５５は、スイッチング素子５３，５４が同時にオンする期間がないように、スイッチング素子５３，５４のスイッチングを制御する。
【００３３】
スイッチング素子５３及びスイッチング素子５４の接続点に、インダクタ５６の一端が接続され、インダクタ５６の他端が放電灯ＬＴの一方のランプ端子Ｔ１に接続されている。
【００３４】
コンデンサ５８の一方の電極は、放電灯ＬＴの他方のランプ端子Ｔ２に接続され、コンデンサ５８の他方の電極は、フューズ５１を介して直流電源３１の正極に接続されている。又、放電灯ＬＴのランプ端子Ｔ１とランプ端子Ｔ２との間に、コンデンサ５７が接続されている。
【００３５】
則ち、第１の実施形態の放電灯用点灯回路４０と本実施形態の放電灯用点灯回路５０の異なる点は、放電灯用点灯回路４０では、直流成分除去用のコンデンサ４８がランプ端子Ｔ２と直流電源３１の負極との間に接続されていたが、本実施形態では、直流成分除去用のコンデンサ５８がランプ端子Ｔ２と直流電源３１の正極との間に接続されていることである。放電灯用点灯回路５０の他の構成は、放電灯用点灯回路４０と同様である。
【００３６】
本実施形態の放電灯装置においても、基本的動作は、第１の実施形態と同様であり、制御部５５がスイッチング素子５３及びスイッチング素子５４に制御信号を与えて、スイッチング素子５３，５４を交互にオン・オフさせる。これにより、直流電源３１の出力する直流電圧が高周波の信号に変換される。この高周波の信号がインダクタ５６の一端に入力される。インダクタ５６、コンデンサ５７及びコンデンサ５８は、高周波の信号に対して共振回路として機能する。放電灯ＬＴは、コンデンサ５７より電流が供給されると、放電し点灯する。ここで、インダクタ５６は、放電灯ＬＴに流れる電流を制限する。又、コンデンサ５８は、直流電流を遮断するように機能する。
【００３７】
コンデンサ５８の静電容量が十分大きければ、コンデンサ５８充電電圧のリップルもほとんどなく、放電灯ＬＴが点灯している期間に、コンデンサ５８は、直流電源３１の出力する電圧Ｅ０のほぼ１／２の１／２Ｅ０に充電される。例えば、直流電源３１の出力電圧が４００［Ｖ］で放電灯ＬＴの電圧振幅が３６０［Ｖ］の場合、接地電位から見たランプ端子Ｔ２の電位は、ほぼ０［Ｖ］となり、接地電位から見たランプ端子Ｔ１の電位は、±１８０［Ｖ］で振動する。
【００３８】
よって、本実施形態の放電灯装置は、第１の実施形態と同様に、電源部３０や放電灯用点灯回路５０における絶縁性能を必要以上に高く設定しなくてもよい。また、安全性を確保するために、漏洩電流を抑制する機能も必要以上に高くしなくてもよい。
【００３９】
［第３の実施形態］
図４は、本発明の第３の実施形態に係る放電灯装置を示す構成図である。
この放電装置は、放電灯ＬＴを点灯させる装置であり、電源部３０と、放電灯用点灯回路６０とを備えている。
【００４０】
電源部３０は、第１の実施形態の電源部３０と同様のものであり、直流電源３１と抵抗３２と抵抗３３とを備え、これらが第１の実施形態と同様に接続されている。直流電源３１の出力する電圧Ｅ０の略１／２の電圧に相当する電位が接地電位となっている。
【００４１】
放電灯用点灯回路６０には、フューズ６１と、直流電源３１の出力する電圧を平滑化するコンデンサ６２と、２個のスイッチング素子６３、６４と、制御部６５と、電流制限用のインダクタ６６と、共振用のコンデンサ６７と、直流成分除去用の２個のコンデンサ６８，６９とを備えている。各コンデンサ６８，６９は、高周波のインピーダンスが十分に低くなるように、それぞれ十分に高い静電容量を持つことが望ましい。
【００４２】
コンデンサ６２の一方の電極は、フューズ６１を介して直流電源３１の正極に接続され、コンデンサ６２の他方の電極は、直流電源３１の負極に接続されている。
【００４３】
スイッチング素子６３及びスイッチング素子６４は、フューズ６１を介して直流電源３１の正極と直流電源３１の負極との間に直列に接続されている。制御部６５は、フューズ６１を介して直流電源３１の正極に接続され、スイッチング素子６３，６４を交互にオン・オフする。但し、制御部６５は、スイッチング素子６３，６４が同時にオンする期間がないように、スイッチング素子６３，６４のスイッチングを制御する。
【００４４】
スイッチング素子６３及びスイッチング素子６４の接続点に、インダクタ６６の一端が接続され、インダクタ６６の他端が放電灯ＬＴの一方のランプ端子Ｔ１に接続されている。
【００４５】
コンデンサ６８の一方の電極は、放電灯ＬＴの他方のランプ端子Ｔ２に接続され、コンデンサ６８の他方の電極は、直流電源３１の負極に接続されている。
コンデンサ６９の一方の電極は、放電灯ＬＴの他方のランプ端子Ｔ２に接続され、コンデンサ６９の他方の電極は、フューズ６１を介して直流電源３１の正極接続されている。又、放電灯ＬＴのランプ端子Ｔ１とランプ端子Ｔ２との間に、コンデンサ６７が接続されている。
【００４６】
則ち、第１の実施形態の放電灯用点灯回路４０と本実施形態の放電灯用点灯回路６０の異なる点は、本実施形態の放電灯用点灯回路６０は、ランプ端子Ｔ２と直流電源３１の正極との間に接続されたコンデンサ６９を設けたことであり、他の構成は第１の実施形態の放電灯用点灯回路４０と同様である。
【００４７】
本実施形態の放電灯装置においても、基本的動作は、第１の実施形態と同様であり、制御部６５がスイッチング素子６３及びスイッチング素子６４に制御信号を与えて、スイッチング素子６３，６４を交互にオン・オフさせる。これにより、直流電源３１の出力する直流電圧が高周波の信号に変換される。この高周波の信号がインダクタ６６の一端に入力される。インダクタ６６、コンデンサ６７及びコンデンサ６８，６９は、高周波の信号に対して共振回路として機能する。放電灯ＬＴは、コンデンサ６７より電流が供給されると、放電し点灯する。ここで、インダクタ６６は、放電灯ＬＴに流れる電流を制限する。又、コンデンサ６８，６９は、直流電流を遮断するように機能する。
【００４８】
コンデンサ６８，６９の静電容量が十分大きければ、各コンデンサ６８，６９の充電電圧のリップルもほとんどなく、放電灯ＬＴが点灯している期間に、各コンデンサ６８，６９は、直流電源３１の出力する電圧Ｅ０のほぼ１／２の１／２Ｅ０にそれぞれ充電される。例えば、直流電源３１の出力電圧が４００［Ｖ］で放電灯ＬＴの電圧振幅が３６０［Ｖ］の場合、接地電位から見たランプ端子Ｔ２の電位は、ほぼ０［Ｖ］となり、接地電位から見たランプ端子Ｔ１の電位は、±１８０［Ｖ］で振動する。
【００４９】
よって、本実施形態の放電灯装置は、第１の実施形態と同様に、電源部３０や放電灯用点灯回路６０における絶縁性能を必要以上に高く設定しなくてもよい。また、安全性を確保するために、漏洩電流を抑制する機能も必要以上に高くしなくてもよい。
【００５０】
［第４の実施形態］
図５は、本発明の第４の実施形態に係る放電灯装置を示す構成図である。
この放電装置は、放電灯ＬＴを点灯させる装置であり、電源部３０と、放電灯用点灯回路７０とを備えている。
【００５１】
電源部３０は、第１の実施形態の電源部３０と同様のものであり、直流電源３１と抵抗３２と抵抗３３とを備え、これらが第１の実施形態と同様に接続されている。直流電源３１の出力する電圧Ｅ０の略１／２の電圧に相当する電位が接地電位となっている。
【００５２】
放電灯用点灯回路７０には、フューズ７１と、直流電源３１の出力する電圧を平滑化するコンデンサ７２と、２個のスイッチング素子７３、７４と、制御部７５と、電流制限用のインダクタ７６と、共振用のコンデンサ７７と、直流成分除去用の２個のコンデンサ７８，７９とを備えている。各コンデンサ７８，７９は、高周波のインピーダンスが十分に低くなるように、十分に高い静電容量を持つことが望ましい。
【００５３】
コンデンサ７２の一方の電極は、フューズ７１を介して直流電源３１の正極に接続され、コンデンサ７２の他方の電極は、直流電源３１の負極に接続されている。
【００５４】
スイッチング素子７３及びスイッチング素子７４は、フューズ７１を介して直流電源３１の正極と直流電源３１の負極との間に直列に接続されている。制御部７５は、フューズ７１を介して直流電源３１の正極に接続され、スイッチング素子７３，７４を交互にオン・オフする。但し、制御部７５は、スイッチング素子７３，７４が同時にオンする期間がないように、スイッチング素子７３，７４のスイッチングを制御する。
【００５５】
スイッチング素子７３及びスイッチング素子７４の接続点に、コンデンサ７９の一方の電極が接続されている。コンデンサ７９の他方の電極に、インダクタ７６の一端が接続され、インダクタ７６の他端が放電灯ＬＴの一方のランプ端子Ｔ１に接続されている。
【００５６】
コンデンサ７８の一方の電極は、放電灯ＬＴの他方のランプ端子Ｔ２に接続され、コンデンサ７８の他方の電極は、直流電源３１の負極に接続されている。又、放電灯ＬＴのランプ端子Ｔ１とランプ端子Ｔ２との間に、コンデンサ７７が接続されている。
【００５７】
則ち、第１の実施形態の放電灯用点灯回路４０と本実施形態の放電灯用点灯回路７０の異なる点は、放電灯用点灯回路７０では、スイッチング素子７３及びスイッチング素子７４の接続点とインダクタ７６との間に接続された直流成分除去用のコンデンサ７９が設けられていることであり、他の構成は放電灯用点灯回路４０と同様である。
【００５８】
本実施形態の放電灯装置においても、基本的動作は、第１の実施形態と同様であり、制御部７５がスイッチング素子７３及びスイッチング素子７４に制御信号を与えて、スイッチング素子７３，７４を交互にオン・オフさせる。これにより、直流電源３１の出力する直流電圧が高周波の信号に変換される。この高周波の信号がコンデンサ７９を介してインダクタ７６の一端に入力される。インダクタ７６、コンデンサ７８及びコンデンサ７９は、高周波の信号に対して共振回路として機能する。放電灯ＬＴは、コンデンサ７７より電流が供給されると、放電し点灯する。ここで、インダクタ７６は、放電灯ＬＴに流れる電流を制限する。又、コンデンサ７８，７９は、直流電流を遮断するように機能する。
【００５９】
コンデンサ７８の静電容量が十分大きければ、コンデンサ７８充電電圧のリップルもほとんどなく、放電灯ＬＴが点灯している期間に、コンデンサ７８は、コンデンサ７８及びコンデンサ７９の静電容量の比の逆数に応じて分圧された電圧に充電される。前述の第１の実施形態では、接地電位から見たランプ端子Ｔ２の電位がほぼ０［Ｖ］となっていたが、本実施形態ではコンデンサ７９を備えたので、ランプ端子Ｔ２の電位を０［Ｖ］から偏移させることができる。
【００６０】
本発明は、上記実施形態に限定されず、種々の変形が可能である。その変形例としては、例えば次のようなものがある。
【００６１】
第４の実施形態のコンデンサ７９は、スイッチング素子７３，７４の接続点とインダクタ７６との間に接続されているが、コンデンサ７９をインダクタ７６とランプ端子Ｔ１との間に接続してもよい。
【００６２】
第４の実施形態は、第１の実施形態の放電灯用点灯回路４０にコンデンサ７９を追加した構成であるが、第２の実施形態或は第３の実施形態の放電灯用点灯回路５０，６０にコンデンサ７９を追加してもよい。
【００６３】
上記の実施形態の一部又は全部は、以下の付記のようにも記載されうるが、以下には限定されない。
【００６４】
（付記１）
放電灯を点灯させる放電灯装置であって、
出力電圧の略１／２の電圧が接地電位に接地された直流電源と、
前記直流電源の正極と負極との間に直列に接続された第１のスイッチング素子及び第２のスイッチング素子と、
前記第１のスイッチング素子及び前記第２のスイッチング素子を交互にオン・オフさせる制御部と、
前記第１のスイッチング素子及び前記第２のスイッチング素子の接続点と前記放電灯の一方のランプ端子との間に接続されたインダクタと、
前記放電灯の一方のランプ端子と該放電灯の他方のランプ端子との間に接続された第１のコンデンサと、
前記放電灯の他方のランプ端子と前記直流電源の負極との間に接続された第２のコンデンサと、
を備えることを特徴とする放電灯装置。
【００６５】
（付記２）
放電灯を点灯させる放電灯装置であって、
出力電圧の略１／２の電圧が接地電位に接地された直流電源と、
前記直流電源の正極と負極との間に直列に接続された第１のスイッチング素子及び第２のスイッチング素子と、
前記第１のスイッチング素子及び前記第２のスイッチング素子を交互にオン・オフさせる制御部と、
前記第１のスイッチング素子及び前記第２のスイッチング素子の接続点と前記放電灯の一方のランプ端子との間に接続されたインダクタと、
前記放電灯の一方のランプ端子と該放電灯の他方のランプ端子との間に接続された第１のコンデンサと、
前記放電灯の他方のランプ端子と前記直流電源の正極との間に接続された第２のコンデンサと、
を備えることを特徴とする放電灯装置。
【００６６】
（付記３）
放電灯を点灯させる放電灯装置であって、
出力電圧の略１／２の電圧が接地電位に接地された直流電源と、
前記直流電源の正極と負極との間に直列に接続された第１のスイッチング素子及び第２のスイッチング素子と、
前記第１のスイッチング素子及び前記第２のスイッチング素子を交互にオン・オフさせる制御部と、
前記第１のスイッチング素子及び前記第２のスイッチング素子の接続点と前記放電灯の一方のランプ端子との間に接続されたインダクタと、
前記放電灯の一方のランプ端子と該放電灯の他方のランプ端子との間に接続された第１のコンデンサと、
前記放電灯の他方のランプ端子と前記直流電源の負極との間に接続された第２のコンデンサと、
前記放電灯の他方のランプ端子と前記直流電源の正極との間に接続された第３のコンデンサと、
を備えることを特徴とする放電灯装置。
【００６７】
（付記４）
前記第１のスイッチング素子及び前記第２のスイッチング素子の接続点と前記インダクタとの間に接続された直流成分遮断用コンデンサを備えることを特徴とする付記１乃至３のいずれかの付記に記載の放電灯装置。
【００６８】
（付記５）
前記インダクタと前記放電灯の一方のランプ端子との間に接続された直流成分遮断用コンデンサを備えることを特徴とする付記１乃至３のいずれかの付記に記載の放電灯装置。
【００６９】
（付記６）
出力電圧の略１／２の電圧が接地電位に接地された直流電源に接続され、放電灯を点灯させる放電灯用点灯回路であって、
前記直流電源の正極と負極との間に直列に接続される第１のスイッチング素子及び第２のスイッチング素子と、
前記第１のスイッチング素子及び前記第２のスイッチング素子を交互にオン・オフさせる制御部と、
前記第１のスイッチング素子及び前記第２のスイッチング素子の接続点と前記放電灯の一方のランプ端子との間に接続されたインダクタと、
前記放電灯の一方のランプ端子と該放電灯の他方のランプ端子との間に接続された第１のコンデンサと、
前記放電灯の他方のランプ端子と前記直流電源の負極との間に接続される第２のコンデンサと、
を備えることを特徴とする放電灯用点灯回路。
【００７０】
（付記７）
出力電圧の略１／２の電圧が接地電位に接地された直流電源に接続され、放電灯を点灯させる放電灯用点灯回路であって、
前記直流電源の正極と負極との間に直列に接続される第１のスイッチング素子及び第２のスイッチング素子と、
前記第１のスイッチング素子及び前記第２のスイッチング素子を交互にオン・オフさせる制御部と、
前記第１のスイッチング素子及び前記第２のスイッチング素子の接続点と前記放電灯の一方のランプ端子との間に接続されたインダクタと、
前記放電灯の一方のランプ端子と該放電灯の他方のランプ端子との間に接続された第１のコンデンサと、
前記放電灯の他方のランプ端子と前記直流電源の正極との間に接続される第２のコンデンサと、
を備えることを特徴とする放電灯用点灯回路。
【００７１】
（付記８）
出力電圧の略１／２の電圧が接地電位に接地された直流電源に接続され、放電灯を点灯させる放電灯用点灯回路であって、
前記直流電源の正極と負極との間に直列に接続される第１のスイッチング素子及び第２のスイッチング素子と、
前記第１のスイッチング素子及び前記第２のスイッチング素子を交互にオン・オフさせる制御部と、
前記第１のスイッチング素子及び前記第２のスイッチング素子の接続点と前記放電灯の一方のランプ端子との間に接続されたインダクタと、
前記放電灯の一方のランプ端子と該放電灯の他方のランプ端子との間に接続された第１のコンデンサと、
前記放電灯の他方のランプ端子と前記直流電源の負極との間に接続される第２のコンデンサと、
前記放電灯の他方のランプ端子と前記直流電源の正極との間に接続される第３のコンデンサと、
を備えることを特徴とする放電灯用点灯回路。
【００７２】
（付記９）
前記第１のスイッチング素子及び前記第２のスイッチング素子の接続点と前記インダクタとの間に接続された直流成分遮断用コンデンサを備えることを特徴とする付記６乃至８のいずれかの付記に記載の放電灯用点灯回路。
【００７３】
（付記１０）
前記インダクタと前記放電灯の一方のランプ端子との間に接続された直流成分遮断用コンデンサを備えることを特徴とする付記６乃至８のいずれかの付記に記載の放電灯用点灯回路。
【符号の説明】
【００７４】
３０      電源部
３１      直流電源
３２，３３      抵抗
４０，５０，６０，７０      放電灯用点灯回路
４１，５１，６１，７１      フューズ
４２，５２，６２，７２      平滑用のコンデンサ
４３，４４，５３，５４，６３，６４，７３，７４      スイッチング素子
４５，５５，６５，７５      制御部
４６，５６，６６，７６      電流制限用のインダクタ
４７，５７，６７，７７      共振用のコンデンサ
４８，５８，６８，６９，７８，７９      直流成分遮断用のコンデンサ
【図１】
0005574412.tif 000002
【図２】
0005574412.tif 000003
【図３】
0005574412.tif 000004
【図４】
0005574412.tif 000005
【図５】
0005574412.tif 000006
【図６】
0005574412.tif 000007
【図７】
0005574412.tif 000008